【手続補正書】
【提出日】平成27年5月18日(2015.5.18)
【手続補正１】
【補正対象書類名】明細書
【補正対象項目名】００１５
【補正方法】変更
【補正の内容】
【００１５】
【図１】本技術による一実施の形態に係る表示装置の概略構成図である。
【図２】各画素（サブピクセル）の回路構成の一例を表す図である。
【図３】列方向に互いに隣接する２つの表示画素の回路構成の一例を表す図である。
【図４】列方向に互いに隣接する２つの表示画素の回路構成の他の例を表す図である。
【図５】図３、図４のＤＴＬに印加される電圧の一例を表す図である。
【図６】列方向に互いに隣接する２つのユニットに着目したときの各画素（サブピクセル）行に印加される選択パルスの経時変化の一例を表す波形図である。
【図７】１つの画素（サブピクセル）に着目したときのＷＳＬ，ＤＳＬ，ＤＴＬに印加される電圧、ゲート電圧、およびソース電圧の経時変化の一例を表す波形図である。
【図８】列方向に互いに隣接する２つのユニットに着目したときのＷＳＬ，ＤＳＬ，ＤＴＬに印加される電圧の経時変化の一例を表す波形図である。
【図９】図６のＡで囲まれた２つのＷＳＬに対応する２つの画素間のカップリングについて説明するための波形図である。
【図１０】図６のＢで囲まれた２つのＷＳＬに対応する２つの画素間のカップリングについて説明するための波形図である。
【図１１】比較例に係る表示パネルにおける各画素の回路構成の一例を表す図である。
【図１２】図１１のレイアウトを備えた表示装置において、列方向に互いに隣接する２つの画素に着目したときのＷＳＬ，ＤＳＬ，ＤＴＬに印加される電圧の経時変化の一例を表す波形図である。
【図１３】図１１のレイアウトを備えた表示装置において、列方向に互いに隣接する２つの画素に着目したときのＷＳＬ，ＤＳＬ，ＤＴＬに印加される電圧の経時変化の他の例を表す波形図である。
【図１４】束ね駆動によって生じる輝度ムラの一例を表す図である。
【図１５】図３、図４のレイアウトを備えた表示装置において、列方向に互いに隣接する２つのユニットに着目したときのＷＳＬ，ＤＳＬ，ＤＴＬに印加される電圧の経時変化の比較例を表す波形図である。
【図１６】図１５の波形をＷＳＬの分枝ごとに表す波形図である。
【図１７】図１６のＤで囲まれた２つのＷＳＬに対応する２つの画素間のカップリングについて説明するための波形図である。
【図１８】上記実施の形態の発光装置の適用例１の外観を表す斜視図である。
【図１９】（Ａ）は適用例２の表側から見た外観を表す斜視図であり、（Ｂ）は裏側から見た外観を表す斜視図である。
【図２０】適用例３の外観を表す斜視図である。
【図２１】適用例４の外観を表す斜視図である。
【図２２】（Ａ）は適用例５の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【手続補正２】
【補正対象書類名】明細書
【補正対象項目名】００３２
【補正方法】変更
【補正の内容】
【００３２】
各走査線ＷＳＬ（ＷＳＬ（ｎ）〜ＷＳＬ（ｎ＋３））は、１表示画素行に含まれるサブピクセル行の数と同一の本数の分枝（つまり、２本の分枝（第１配線、第２配線））を有している。各第１配線は、１ユニット内の各表示画素行における上段のサブピクセル行に対して１本ずつ割り当てられている。各第１配線は、１ユニット内で同一発光色の複数の画素１１に接続されている。各第２配線は、１ユニット内の各表示画素行における下段のサブピクセル行に対して１本ずつ割り当てられている。各第２配線は、第１配線に接続された画素１１の発光色とは異なる発光色であって、かつ１ユニット内で同一発光色の複数の画素１１に接続されている。各走査線ＷＳＬ（ＷＳＬ（ｎ）〜ＷＳＬ（ｎ＋３））において、各分岐は、当該表示パネル１０内で互いに接続されている。分枝同士の接続点Ｃ１は、表示領域１０Ａ内にあってもよいし、表示領域１０Ａの周縁（フレーム領域）内にあってもよい。また、表示パネル１０の法線方向から見たときに、同一ユニット内において、各走査線ＷＳＬは、他の走査線ＷＳＬと交差している。各走査線ＷＳＬの分岐は、田の字配列の中央を横断している。書込トランジスタＴｒ２のゲート電極１４Ａは、走査線ＷＳＬの分岐に接続されている。
【手続補正３】
【補正対象書類名】明細書
【補正対象項目名】００３６
【補正方法】変更
【補正の内容】
【００３６】
上記の２つの表示画素１４のうちｎ行目の表示画素行に含まれる表示画素１４には、２本の信号線ＤＴＬ（ｍ），ＤＴＬ（ｍ＋２）が割り当てられている。さらに、上記の２つの表示画素１４のうちｎ＋１行目の表示画素行に含まれる表示画素１４には、２本の信号線ＤＴＬ（ｍ＋１），ＤＴＬ（ｍ＋３）が割り当てられている。つまり、１ユニット内で表示画素行が互いに異なり、かつ列方向に互いに隣接する２つの表示画素１４において、一方の表示画素１４に対しては偶数列目の２本の信号線ＤＴＬ（ｍ），ＤＴＬ（ｍ＋２）が割り当てられ、他方の表示画素１４に対しては奇数列目の２本の信号線ＤＴＬ（ｍ＋１），ＤＴＬ（ｍ＋３）が割り当てられている。これにより、信号線ＤＴＬの総数が最小限に抑えられている。
【手続補正４】
【補正対象書類名】明細書
【補正対象項目名】００３８
【補正方法】変更
【補正の内容】
【００３８】
また、１ユニット内で表示画素行が互いに異なり、かつ列方向において互いに隣接する２つの表示画素１４において、発光色の互いに等しい２つの画素１１が共通の２本の信号線ＤＴＬの間に配置されている。具体的には、１ユニット内で表示画素行が互いに異なり、かつ列方向において互いに隣接する２つの表示画素１４において、２つの画素１１Ｒが２本の信号線ＤＴＬ（ｍ），ＤＴＬ（ｍ＋１）の間に配置されている。同様に、１ユニット内で表示画素行が互いに異なり、かつ列方向において互いに隣接する２つの表示画素１４において、２つの画素１１Ｇが２本の信号線ＤＴＬ（ｍ），ＤＴＬ（ｍ＋１）の間に配置されている。また、１ユニット内で表示画素行が互いに異なり、かつ列方向において互いに隣接する２つの表示画素１４において、２つの画素１１Ｂが２本の信号線ＤＴＬ（ｍ＋２），ＤＴＬ（ｍ＋３）の間に配置されている。また、１ユニット内で表示画素行が互いに異なり、かつ列方向において互いに隣接する２つの表示画素１４において、２つの画素１１Ｗが２本の信号線ＤＴＬ（ｍ＋２），ＤＴＬ（ｍ＋３）の間に配置されている。
【手続補正５】
【補正対象書類名】明細書
【補正対象項目名】００４７
【補正方法】変更
【補正の内容】
【００４７】
つまり、信号線駆動回路２３は、信号書き込み時に、走査線ＷＳＬ（ｎ）が選択されたときには、偶数番目の信号線ＤＴＬ（ｍ），ＤＴＬ（ｍ＋２）に対してｎ表示画素行に対応する電圧Ｖｓｉｇ（ｎ，ｍ），Ｖｓｉｇ（ｎ，ｍ＋２）を出力すると同時に、奇数番目の信号線ＤＴＬ（ｍ＋１），ＤＴＬ（ｍ＋３）に対してｎ＋１表示画素行に対応する電圧Ｖｓｉｇ（ｎ＋１，ｍ＋１），Ｖｓｉｇ（ｎ＋１，ｍ＋３）を出力するようになっている。また、信号線駆動回路２３は、信号書き込み時に、走査線ＷＳＬ（ｎ＋１）が選択されたときには、偶数番目の信号線ＤＴＬ（ｍ），ＤＴＬ（ｍ＋２）に対してｎ＋１表示画素行に対応する電圧Ｖｓｉｇ（ｎ＋１，ｍ），Ｖｓｉｇ（ｎ＋１，ｍ＋２）を出力すると同時に、奇数番目の信号線ＤＴＬ（ｍ＋１），ＤＴＬ（ｍ＋３）に対してｎ表示画素行に対応する電圧Ｖｓｉｇ（ｎ，ｍ＋１），Ｖｓｉｇ（ｎ，ｍ＋３）を出力するようになっている。なお、信号線駆動回路２３は、ｎ＋２画素行およびｎ＋３画素行についても、ｎ画素行およびｎ＋１画素行と同様にして、電圧を印加するようになっている。
【手続補正６】
【補正対象書類名】明細書
【補正対象項目名】００５２
【補正方法】変更
【補正の内容】
【００５２】
なお、図６は、列方向に互いに隣接する２つのユニット内の各サブピクセル行に印加される選択パルスの経時変化の一例を表したものである。図６において、Ｖｗ１は、ｎ表示画素行における上段のサブピクセル行に対応して設けられた走査線ＷＳＬの分枝の電圧波形である。Ｖｗ２は、ｎ表示画素行における下段のサブピクセル行に対応して設けられた走査線ＷＳＬの分枝の電圧波形である。Ｖｗ３は、ｎ＋１表示画素行における上段のサブピクセル行に対応して設けられた走査線ＷＳＬの分枝の電圧波形である。Ｖｗ４は、ｎ＋１表示画素行における下段のサブピクセル行に対応して設けられた走査線ＷＳＬの分枝の電圧波形である。Ｖｗ５は、ｎ＋２表示画素行における上段のサブピクセル行に対応して設けられた走査線ＷＳＬの分枝の電圧波形である。Ｖｗ６は、ｎ＋２表示画素行における下段のサブピクセル行に対応して設けられた走査線ＷＳＬの分枝の電圧波形である。Ｖｗ７は、ｎ＋３表示画素行における上段のサブピクセル行に対応して設けられた走査線ＷＳＬの分枝の電圧波形である。Ｖｗ８は、ｎ＋３表示画素行における下段のサブピクセル行に対応して設けられた走査線ＷＳＬの分枝の電圧波形である。なお、図６中で一点鎖線で囲んだＡ，Ｂについては、後に詳述する。
【手続補正７】
【補正対象書類名】明細書
【補正対象項目名】００６１
【補正方法】変更
【補正の内容】
【００６１】
次に、電源線ＤＳＬの電圧がＶｓｓとなっており、かつ信号線ＤＴＬの電圧がＶｏｆｓとなっている間に、走査線駆動回路２４は、制御信号２１Ａに応じて走査線ＷＳＬの電圧をＶｏｆｆからＶｏｎに上げる（Ｔ２）。すると、ゲート電圧ＶｇがＶｏｆｓまで下がる。このとき、ゲート電圧Ｖｇとソース電圧Ｖｓとの電位差Ｖｇｓが駆動トランジスタＴｒ１の閾値電圧よりも小さくなっていてもよいし、それと等しいか、またはそれよりも大きくなっていてもよい。
【手続補正８】
【補正対象書類名】明細書
【補正対象項目名】００６８
【補正方法】変更
【補正の内容】
【００６８】
なお、以下では、１ユニット内の全ての画素１１を、接続された走査線ＷＳＬごとにグループに分けたものとして、説明を行う。本実施の形態では、１ユニット内の全ての画素１１Ｒおよび全ての画素１１Ｗが１つのグループとなり、そのユニット内の全ての画素１１Ｇおよび全ての画素１１Ｂが１つのグループとなる。そこで、以下では、走査線ＷＳＬ(ｎ)、ＷＳＬ（ｎ＋１）が接続されたユニット内の全ての画素１１Ｒおよび全ての画素１１Ｗが第１のグループとなっており、そのユニット内の全ての画素１１Ｇおよび全ての画素１１Ｂが第２のグループとなっているものとする。さらに、走査線ＷＳＬ(ｎ＋２)、ＷＳＬ（ｎ＋３）が接続されたユニット内の全ての画素１１Ｒおよび全ての画素１１Ｗが第３のグループとなっており、そのユニット内の全ての画素１１Ｇおよび全ての画素１１Ｂが第４のグループとなっているものとする。
【手続補正９】
【補正対象書類名】明細書
【補正対象項目名】００６９
【補正方法】変更
【補正の内容】
【００６９】
駆動回路２０は、Ｖｔｈ補正を１ユニット内の全てのグループ（第１および第２のグループ）に対して同時期に行ったのち、信号書き込みを、そのユニット内の全てのグループ（第１および第２のグループ）に対して、グループごとに順番に行う。このとき、駆動回路２０は、信号書き込みを、１画素行内の下段に配置された画素１１からなる第２のグループに対して行ったのち、その画素行内の上段に配置された画素１１からなる第１のグループに対して行う。
【手続補正１０】
【補正対象書類名】明細書
【補正対象項目名】００７０
【補正方法】変更
【補正の内容】
【００７０】
その後、駆動回路２０は、Ｖｔｈ補正を次のユニット内の全てのグループ（第３および第４のグループ）に対して同時期に行ったのち、信号書き込みを、そのユニット内の全てのグループ（第３および第４のグループ）に対して、グループごとに順番に行う。このとき、駆動回路２０は、上記と同様に、信号書き込みを、１画素行内の下段に配置された画素１１からなる第４のグループに対して行ったのち、１画素行内の上段に配置された画素１１からなる第３のグループに対して行う。
【手続補正１１】
【補正対象書類名】明細書
【補正対象項目名】００７２
【補正方法】変更
【補正の内容】
【００７２】
さらに、駆動回路２０は、グループごとに信号書き込みを行う際に、そのグループに含まれる全ての画素１１に対して信号書き込みを同時に行う。具体的には、駆動回路２０は、走査線ＷＳＬ（ｎ）が選択されたときには、各信号線ＤＴＬに対して、上述の電圧Ｖ（ｎ）を出力する。すなわち、駆動回路２０は、走査線ＷＳＬ（ｎ）が選択されたときには、偶数番目の信号線ＤＴＬ(ＤＴＬ（ｍ）、ＤＴＬ（ｍ＋２）)に対してｎ画素行目の電圧Ｖｓｉｇ（Ｖｓｉｇ（ｎ，ｍ），Ｖｓｉｇ（ｎ，ｍ＋２））を出力すると同時に、奇数番目の信号線ＤＴＬ（ｍ＋１），ＤＴＬ（ｍ＋３）に対してｎ＋１画素行に対応する電圧Ｖｓｉｇ（Ｖｓｉｇ（ｎ＋１，ｍ＋１），Ｖｓｉｇ（ｎ＋１，ｍ＋３））を出力する。さらに、駆動回路２０は、走査線ＷＳＬ（ｎ＋１）が選択されたときには、偶数番目の信号線ＤＴＬ(ＤＴＬ（ｍ）、ＤＴＬ（ｍ＋２）)に対してｎ＋１画素行目の電圧Ｖｓｉｇ（Ｖｓｉｇ（ｎ＋１，ｍ），Ｖｓｉｇ（ｎ＋１，ｍ＋２））を出力すると同時に、奇数番目の信号線ＤＴＬ（ｍ＋１），ＤＴＬ（ｍ＋３）に対してｎ画素行に対応する電圧Ｖｓｉｇ（Ｖｓｉｇ（ｎ，ｍ＋１），Ｖｓｉｇ（ｎ，ｍ＋３））を出力する。
【手続補正１２】
【補正対象書類名】明細書
【補正対象項目名】００７９
【補正方法】変更
【補正の内容】
【００７９】
図１１は、従来から一般的に用いられる画素配列の一例を表したものである。従来では、表示画素１４０に含まれる各画素１１０Ｒ，１１０Ｇ，１１０Ｂが共通の走査線ＷＳＬ(ｎ)および電源線ＤＳＬ（ｎ）に接続されている。このような画素配列となっている場合に、例えば、図１２に示したように、Ｖｔｈ補正および信号書き込みが１Ｈ期間ごとに行われるときには、１Ｈ期間を短くし、１Ｈ当たりの走査期間を短くする（つまり、高速駆動化する）ことが難しかった。そのため、例えば、図１３に示したように、Ｖｔｈ補正が共通の１Ｈ期間内に２ラインまとめて行われたのち、信号書き込みが次の１Ｈ期間内にラインごとに行われる。この駆動方法は、Ｖｔｈ補正が束ねられていることから、高速駆動に向いている。しかし、Ｖｔｈ補正が終わってから信号書き込みが始まるまでの待ち期間Δtがラインごとに異なる。そのため、同一階調の信号電圧がそれぞれのラインの駆動トランジスタのゲートに印加されたとしても、図１４に示したように、発光輝度がラインごとに異なってしまい、輝度ムラが生じるという問題があった。
【手続補正１３】
【補正対象書類名】明細書
【補正対象項目名】００８０
【補正方法】変更
【補正の内容】
【００８０】
一方、本実施の形態では、各画素１１の選択に用いられる各走査線ＷＳＬが、１ユニット内で同一発光色の複数の画素１１に接続されている。さらに、各画素１１への駆動電流の供給に用いられる各電源線ＤＳＬが、１ユニット内の全ての画素１１に接続されている。これにより、上述したように、Ｖｔｈ補正を、１ユニット内の全てのグループに対して同時期に行ったのち、信号電圧の書き込みを、そのユニット内の全てのグループに対してグループごとに行うことができる。その結果、同一色の各画素１１において、Ｖｔｈ補正が終わってからμ補正が始まるまでの待ち時間が一致するので、同一色の画素１１における待ち時間がラインごとに一致する。従って、Ｖｔｈ補正を束ねたことによる輝度ムラの発生を低減することができる。
【手続補正１４】
【補正対象書類名】明細書
【補正対象項目名】００８１
【補正方法】変更
【補正の内容】
【００８１】
図１５は、比較例に係る表示装置において、列方向に互いに隣接する２つのユニットにおけるＶｔｈ補正と信号書込み・μ補正の走査の一例を表したものである。図１６は、列方向に互いに隣接する２つのユニット内の各サブピクセル行に印加される選択パルスの経時変化の一例を表す波形図である。なお、比較例に係る表示装置において、画素構成は、上記実施の形態の画素構成と同一となっている。
【手続補正１５】
【補正対象書類名】明細書
【補正対象項目名】００８２
【補正方法】変更
【補正の内容】
【００８２】
本比較例では、駆動回路２０は、本実施の形態と同様に、Ｖｔｈ補正を１ユニット内の全てのグループ（第１および第２のグループ）に対して同時期に行ったのち、信号電圧の書き込み（およびμ補正）を、そのユニット内の全てのグループ（第１および第２のグループ）に対して、グループごとに順番に行う。このとき、走査線駆動回路２４は、信号書き込みに際しては、１ユニットに含まれる複数の走査線ＷＳＬを、一連の動作（Ｖｔｈ補正および信号書き込み）をユニット単位で順次実行する際の走査方向（以下、「ユニット走査方向」と称する。）と同一の方向に順次、選択するようになっている。そのようにした結果、同一色の各画素１１において、Ｖｔｈ補正が終わってからμ補正が始まるまでの期間（いわゆる、待ち時間）が一致するので、同一色の各画素１１における待ち時間が画素行ごとに一致する。この点では、比較例に係る表示装置と、上記実施の形態に係る表示装置１との間に相違は無い。
【手続補正１６】
【補正対象書類名】明細書
【補正対象項目名】００８３
【補正方法】変更
【補正の内容】
【００８３】
次に、本比較例におけるカップリングについて説明する。図１７は、図１６中で一点鎖線で丸を付したＤ内のそれぞれの波形が印加される２つの画素１１におけるカップリングの様子を表したものである。なお、図１６中で一点鎖線で丸を付したＣ内のそれぞれの波形が印加される２つの画素１１におけるカップリングの様子は、図９と同様である。
【手続補正１７】
【補正対象書類名】明細書
【補正対象項目名】００８６
【補正方法】変更
【補正の内容】
【００８６】
一方、上記実施の形態では、上述したように、ｎ＋１表示画素行の下段の画素１１における信号書き込みがｎ＋２表示画素行の上段の画素１１へ与える影響と、ｎ＋２表示画素行の下段の画素１１における信号書き込みがｎ＋３表示画素行の上段の画素１１へ与える影響とが、互いに等しくなっている。つまり、複数の画素１１間でカップリングが生じるような回路構成となっている場合であっても、カップリングによる影響を受けるすべての画素１１において、その影響の受け方の傾向が一致する。これにより、カップリングによる影響を受けるすべての画素１１において、発光輝度の変化の傾向がほぼ一致するので、輝度ムラを低減することができる。
【手続補正１８】
【補正対象書類名】明細書
【補正対象項目名】００８８
【補正方法】変更
【補正の内容】
【００８８】
［変形例１］
上記実施の形態において、複数の走査線ＷＳＬは、１ユニットごとに２本ずつ割り当てられ、１ユニットに含まれる走査線ＷＳＬの数が２となっていた。しかし、図示しないが、複数の走査線ＷＳＬが、１ユニットごとに、１ユニットに含まれる画素行の数と同じ数ずつ割り当てられ、１ユニットに含まれる走査線ＷＳＬの数が、１ユニットに含まれる画素行の数と同じ数となっていてもよい。ただし、その場合には、複数の走査線ＷＳＬは、２本ごとに同一の電圧が印加されるようになっている。
【手続補正１９】
【補正対象書類名】明細書
【補正対象項目名】００９２
【補正方法】変更
【補正の内容】
【００９２】
＜３．適用例＞
以下、上記実施の形態およびその変形例（以下、「上記実施の形態等」と称する。）で説明した表示装置１の適用例について説明する。上記実施の形態等の表示装置１は、テレビジョン装置、デジタルカメラ、ノート型パーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。
【手続補正２０】
【補正対象書類名】明細書
【補正対象項目名】００９３
【補正方法】変更
【補正の内容】
【００９３】
（適用例１）
図１８は、上記実施の形態等の表示装置１が適用されるテレビジョン装置の外観を表したものである。このテレビジョン装置は、例えば、フロントパネル３１０およびフィルターガラス３２０を含む映像表示画面部３００を有しており、この映像表示画面部３００は、上記実施の形態等に係る表示装置１により構成されている。